(57)【要約】【課題】サイドビュー型のＬＥＤを用いる場合であっても、狭額縁化を実現すること。【解決手段】  実施形態に係る面状照明装置は、基板と、前記基板の実装面上に配置され、前記実装面と交差する方向に延びる立設面であって、電極パターンが形成される立設面を有する基体と、前記実装面上に配置され、前記電極パターンと接続され、前記立設面と対向する面とは反対側に発光面を有する発光部と、前記発光部の側面側、かつ、前記発光面と前記立設面との間に配置され、前記基板と前記電極パターンとを導通させる導通部材と、を備える。【選択図】図８
2018014410.tif 000002
【特許請求の範囲】
【請求項１】
基板と、
前記基板の実装面上に配置され、前記実装面と交差する方向に延びる立設面であって、電極パターンが形成される立設面を有する基体と、
前記実装面上に配置され、前記電極パターンと接続され、前記立設面と対向する面とは反対側に発光面を有する発光部と、
前記発光部の側面側、かつ、前記発光面と前記立設面との間に配置され、前記基板と前記電極パターンとを導通させる導通部材と、
を備える面状照明装置。
【請求項２】
前記基体の前記立設面から前記立設面とは反対側の面までの厚さは、前記発光部の前記発光面から前記立設面と対向する面までの厚さよりも薄い、請求項１に記載の面状照明装置。
【請求項３】
前記基体、前記発光部及び前記導通部材を含む光源の重心は、前記発光部内に位置する、請求項１又は２に記載の面状照明装置。
【請求項４】
前記導通部材は、前記基板及び前記電極パターンに接続されることにより、前記基板と前記電極パターンとを導通させ、
前記光源の重心は、前記立設面と、前記導通部材が前記基板に接続されている部分の前記発光面側の端部を通り前記立設面と平行な面との間に位置する、
請求項３に記載の面状照明装置。
【請求項５】
前記発光面が対向して配置される側面を有し、前記側面に入射された光を出射する導光板を更に備える、請求項１〜４のいずれか１つに記載の面状照明装置。
【発明の詳細な説明】
【技術分野】
【０００１】
本発明は、面状照明装置に関する。
【背景技術】
【０００２】
従来、サイドビュー型のＬＥＤ（Light  Emitting  Diode）が導光板の入光面に対向するように配置される面状照明装置がある。かかる従来の面状照明装置では、例えば、直方体状の発光部と、発光部よりも長手方向の寸法が大きい基体とを含むＬＥＤにおいて、電極端子が、上面視でコの字状に形成され、基体の長手方向の両端における発光面側、側端面側、及び、発光面とは反対側を一体に覆っている（例えば、特許文献１参照）。
【先行技術文献】
【特許文献】
【０００３】
【特許文献１】特開２０１４−１０７３０７号公報
【発明の概要】
【発明が解決しようとする課題】
【０００４】
しかしながら、上述した従来の面状照明装置では、基体の長手方向の両端における発光面側、側端面側、及び、発光面とは反対側を一体に覆っているため、ＬＥＤ全体の光軸方向の厚さが厚くならざるを得ない。この結果、従来の面状照明装置では、入光面側の狭額縁化を実現することが困難である。
【０００５】
本発明は、上記に鑑みてなされたものであって、サイドビュー型のＬＥＤを用いる場合であっても、狭額縁化を実現することができる面状照明装置を提供することを目的とする。
【課題を解決するための手段】
【０００６】
上述した課題を解決し、目的を達成するために、本発明の一態様に係る面状照明装置は、基板と、前記基板の実装面上に配置され、前記実装面と交差する方向に延びる立設面であって、電極パターンが形成される立設面を有する基体と、前記実装面上に配置され、前記電極パターンと接続され、前記立設面と対向する面とは反対側に発光面を有する発光部と、前記発光部の側面側、かつ、前記発光面と前記立設面との間に配置され、前記基板と前記電極パターンとを導通させる導通部材と、を備える。
【発明の効果】
【０００７】
本発明の一態様によれば、サイドビュー型のＬＥＤを用いる場合であっても、狭額縁化を実現することができる。
【図面の簡単な説明】
【０００８】
【図１】図１は、実施形態に係る面状照明装置の外観の一例を示す正面図である。
【図２】図２は、図１のＡ−Ａ線における断面図である。
【図３】図３は、実施形態に係るＬＥＤの斜視図である。
【図４】図４は、図３のＢ−Ｂ線における発光部の断面図である。
【図５】図５は、実施形態に係る基体の正面図である。
【図６】図６は、実施形態に係る発光部と基体とが接続された状態の一例を示す図である。
【図７】図７は、実施形態に係るＦＰＣの上面図である。
【図８】図８は、実施形態に係るＦＰＣ、及び、ＦＰＣの実装面に実装されたＬＥＤの斜視図である。
【図９】図９は、実施形態に係るＦＰＣ、及び、ＦＰＣの実装面に実装されたＬＥＤの側面図である。
【図１０】図１０は、実施形態の変形例に係るＦＰＣ、及び、ＦＰＣの実装面に実装されたＬＥＤの斜視図である。
【図１１】図１１は、実施形態の変形例に係るＦＰＣ、及び、ＦＰＣの実装面に実装されたＬＥＤの側面図である。
【発明を実施するための形態】
【０００９】
以下、実施形態に係る面状照明装置について図面を参照して説明する。なお、図面における各要素の寸法の関係、各要素の比率などは、現実と異なる場合がある。図面の相互間においても、互いの寸法の関係や比率が異なる部分が含まれている場合がある。
【００１０】
（実施形態）
図１は、実施形態に係る面状照明装置の外観の一例を示す正面図である。図１の例に示すように、実施形態に係る面状照明装置１０の長手方向の一端側は、第１遮光シート３０ａ及び第２遮光シート３０ｂを含む遮光シート３０で覆われる。また、面状照明装置１０の長手方向の他端側は、遮光シート３１で覆われる。そして、面状照明装置１０は、遮光シート３０、３１で覆われていない出射領域（有効エリアとも称される）９０から光を出射する。すなわち、遮光シート３０、３１により、有効エリア９０が規定される。本実施形態に係る面状照明装置１０は、液晶表示装置のバックライトとして用いられる。かかる液晶表示装置は、例えば、スマートフォンにおいて用いられる。
【００１１】
ここで、図１において、遮光シート３０よりも遮光シート３１の方が、幅が広い。これは、遮光シート３０は、遮光シート３０の下部に存在する、後述するＬＥＤ１１やＦＰＣ１３等を含む比較的広い領域を覆い、遮光シート３１は、後述するＬＥＤ１１やＦＰＣ１３等が含まれない比較的狭い領域を覆うためである。
【００１２】
図２は、図１のＡ−Ａ線における断面図である。図２に示すように、面状照明装置１０は、ＬＥＤ１１、導光板１２、ＦＰＣ１３、拡散シート１５、プリズムシート１６、フレーム１７、反射シート１８及び遮光シート３０を有する。なお、図２においては、後述する電極パターン１１ｑ、１１ｒの図示が省略されている。
【００１３】
フレーム１７は、ＬＥＤ１１、導光板１２、ＦＰＣ１３、拡散シート１５、プリズムシート１６及び反射シート１８を収納する。フレーム１７は、側壁１７ａ及び底部１７ｂを有する。フレーム１７は、剛性と光の反射率が大きい、例えば、ステンレス製の板金フレームである。
【００１４】
底部１７ｂは、導光板１２の後述する主面１２ｂに沿って広がる形状を有する。底部１７ｂは、導光板１２側の面である床面１７ｃを有する。床面１７ｃには、反射シート１８、及び、後述する入光側面１２ｃの長辺方向（面状照明装置１０の短手方向）に延伸する短冊状のＦＰＣ１３が載置される。側壁１７ａは、導光板１２の後述する入光側面１２ｃの長辺に沿って底部１７ｂから、面状照明装置１０から光が出射する方向（床面１７ｃの法線方向、矢印４０が示す方向）に一体に立ち上がる部分である。
【００１５】
点状の光源（点状光源）であるＬＥＤ１１は、例えば、青色ＬＥＤと黄色蛍光体とからなる疑似白色ＬＥＤであり、全体として略直方体状に形成され、一側面に発光面１１ｄｄを有するいわゆるサイドビュー型のＬＥＤである。すなわち、ＬＥＤ１１がＦＰＣ１３の後述する実装面１３ａに実装された状態において、実装面１３ａに載置されるＬＥＤ１１の面１１ｅは、発光面１１ｄｄと略直交する面に平行である。複数のＬＥＤ１１は、発光面１１ｄｄをＦＰＣ１３の実装面１３ａの短辺方向に向けた状態で、実装面１３ａの長辺方向に沿って、所定の間隔を空けて実装面１３ａに実装される。これにより、面状照明装置１０において、複数のＬＥＤ１１は、その発光面１１ｄｄを、導光板１２の後述する入光側面１２ｃに対向させた状態で、入光側面１２ｃの長辺方向に沿って、所定の間隔を空けて配置されることとなる。
【００１６】
導光板１２は、透明材料（例えば、ポリカーボネート樹脂）を用いて上面視で矩形状に形成されている。導光板１２は、その外表面に、２つの主面１２ａ、１２ｂと、ＬＥＤ１１を配置する側の側面である入光側面（入光面）１２ｃとを有する。入光側面１２ｃには、ＬＥＤ１１が発した光が入射される。２つの主面１２ａ、１２ｂのうち一方の主面１２ａは、入光側面１２ｃから入射された光（ＬＥＤ１１が発した光）が出射される出射面である。そのため、以下の説明では、「主面１２ａ」を「出射面１２ａ」と表記する場合がある。導光板１２の出射面１２ａとは反対側の面である主面１２ｂ側の部分には、例えば、複数のドットからなる光路変更パターンが形成されている。光路変更パターンを形成することにより、導光板１２内を進む光の進行方向が変更されて、出射面１２ａから光が出射される。すなわち、実施形態に係る面状照明装置１０は、いわゆるエッジライト型の照明装置である。上述したように、導光板１２は、ＬＥＤ１１の発光面１１ｄｄが対向して配置される入光側面（側面）１２ｃを有し、入光側面１２ｃに入射された光を出射する。
【００１７】
ＦＰＣ１３は、２つの主面１３ａ、１３ｂを有する基板である。２つの主面１３ａ、１３ｂのうち、一方の主面１３ａは、ＬＥＤ１１が実装される実装面である。このため、「主面１３ａ」を「実装面１３ａ」と表記する場合がある。実装面１３ａは、ＬＥＤ１１の面１１ｅと対向する。ＦＰＣ１３を介して、図示しない駆動回路の制御によりＬＥＤ１１が駆動し、発光する。
【００１８】
反射シート１８は、出射面１２ａとは反対側の主面１２ｂから漏れた光を反射して、再度導光板１２に戻す。反射シート１８は、両面テープ１９により床面１７ｃ上に固定された状態で、導光板１２の主面１２ｂと床面１７ｃとの間に配置される。
【００１９】
両面テープ１９、２０は、例えば、白色の両面テープである。両面テープ１９の一端は、反射シート１８の側壁１７ａ側、及び、床面１７ｃに貼り付けられる。更に、両面テープ１９の他端は、ＦＰＣ１３の実装面１３ａのＬＥＤ１１が位置しない部分、及び、導光板１２の主面１２ｂのＬＥＤ１１側に貼り付けられる。この結果、両面テープ１９によって、フレーム１７に反射シート１８が固定されるとともに、ＦＰＣ１３の実装面１３ａに、導光板１２が固定される。
【００２０】
両面テープ２０の一方の面は、ＦＰＣ１３の主面１３ｂに貼り付けられ、他方の面は、フレーム１７の床面１７ｃに貼り付けられる。この結果、両面テープ２０によって、フレーム１７にＦＰＣ１３が固定される。
【００２１】
拡散シート１５は、導光板１２の出射面１２ａ側に配置され、出射面１２ａから出射される光を拡散する。具体例を挙げて説明すると、拡散シート１５は、出射面１２ａ及び面１１ａｂの一部を覆うように配置され、出射面１２ａから出射される光を拡散する。ここで、面１１ａｂは、ＬＥＤ１１の面１１ｅとは反対側の面である。
【００２２】
プリズムシート１６は、拡散シート１５の出射面１２ａに対向する面とは反対側の面に配置され、拡散シート１５により拡散された光の配光制御を行って、配光制御が行われた光を出射する。
【００２３】
遮光シート３０は、プリズムシート１６の側壁１７ａ側の一部を覆うように配置され、導光板１２の出射面１２ａのうち一部の領域から出射される光を遮る。
【００２４】
遮光シート３０は、第１遮光シート３０ａ及び第２遮光シート３０ｂを含む。例えば、第１遮光シート３０ａは、光を遮ることが可能な片面テープである。第１遮光シート３０ａの一端側は、フレーム１７の側壁１７ａの外側の面に貼り付けられる。また、第１遮光シート３０ａの他端側は、プリズムシート１６の側壁１７ａ側に貼り付けられる。また、例えば、第２遮光シート３０ｂは、光を遮ることが可能な両面テープである。第２遮光シート３０ｂが有する２つの主面のうち、一方の主面は、第１遮光シート３０ａの他端側の部分に貼り付けられ、他方の主面は、面状照明装置１０をバックライトとして用いる液晶表示装置に貼り付けられる。
【００２５】
次に、図３〜図７を参照して、実施形態に係るＬＥＤ１１について説明する。図３は、実施形態に係るＬＥＤの斜視図である。図４は、図３のＢ−Ｂ線における発光部の断面図である。図５は、実施形態に係る基体の正面図である。図６は、実施形態に係る発光部と基体とが接続された状態の一例を示す図であり、電気的に接続された発光部及び基体の上面図である。図７は、実施形態に係るＦＰＣの上面図である。
【００２６】
図３に示すように、ＬＥＤ１１は、発光部１１ａと、基体１１ｂと、外部電極１１ｃ、１１ｄとを備える。
【００２７】
発光部１１ａは、略直方体状に形成され、基体１１ｂの後述する立設面１１ｐと対向する面１１ｚとは反対側に発光面１１ｄｄを有する。発光部１１ａは、ＦＰＣ１３の実装面１３ａ（図２参照）上に配置され、後述する電極パターン１１ｑ、１１ｒと接続される。図４に示すように、発光部１１ａは、樹脂部１１ｆと、発光素子１１ｇと、透光性材料１１ｈとを備える。
【００２８】
樹脂部１１ｆは、発光部１１ａの母体であり、透光性を有する樹脂に光反射性物質の粒子が含有された光反射性を有する材料で形成される。樹脂部１１ｆには、正面に開口１１ｉを有する凹部１１ｊが形成される。凹部１１ｊは、凹部１１ｊの底部１１ｋから発光面１１ｄｄに向かうにつれて、凹部１１ｊの幅が広くなるように形成されている。底部１１ｋは、ＬＥＤ１１の光軸と平行な方向を法線方向とする凹部１１ｊの１つの面である。底部１１ｋには、発光素子１１ｇが設けられる。底部１１ｋには一対の孔１１ｌ、１１ｍが形成されており、この一対の孔１１ｌ、１１ｍのそれぞれには、発光素子１１ｇの一対の電極である内部電極１１ｎ、１１ｏのそれぞれが挿通される。ここで、孔１１ｌは、内部電極１１ｎに対応して底部１１ｋに形成される。孔１１ｍは、内部電極１１ｏに対応して底部１１ｋに形成される。透光性材料１１ｈは、底部１１ｋに発光素子１１ｇが設けられた凹部１１ｊによって形成される空間内に充填される。透光性材料１１ｈが充填されることにより、発光素子１１ｇが発する光を発する発光面１１ｄｄが形成される。
【００２９】
図３に示すように、基体１１ｂは、ＦＰＣ１３の実装面１３ａ（図２参照）に立設する板状の部材であり、発光部１１ａの面１１ｚ（図２参照）側に設けられている。すなわち、基体１１ｂは、実装面１３ａ上に配置される。なお、先の図２に示すように、面１１ｚは、発光部１１ａの発光面１１ｄｄとは反対側の面である。図３に示すように、基体１１ｂの長手方向（矢印４４が示す方向）の長さは、発光部１１ａの長手方向（矢印４４が示す方向）の長さよりも長い。
【００３０】
図５に示すように、基体１１ｂは、発光部１１ａの面１１ｚ（図２参照）と対向する面１１ｐを有する。この面１１ｐは、ＦＰＣ１３の実装面１３ａと直交する方向（図２、図５の矢印４０が示す実装面１３ａの法線方向）に延びる面である。以下、「面１１ｐ」を「立設面１１ｐ」と表記する場合がある。なお、立設面１１ｐは、実装面１３ａと完全に直交する方向に延びる面でなくてもよく、実装面１３ａと交差する方向に延びる面であればよい。立設面１１ｐには、立設面１１ｐの長辺方向（図５の矢印４１が示す方向）に沿って、金属性の電極パターン（電極端子）１１ｑ、１１ｒが形成されている。電極パターン１１ｑは、立設面１１ｐの長辺方向における一端に、接続部１１ｓを有し、他端に、接続部１１ｔを有する。電極パターン１１ｒは、立設面１１ｐの長辺方向における一端に、接続部１１ｕを有し、他端に、接続部１１ｖを有する。すなわち、接続部１１ｔは、発光素子１１ｇの内部電極１１ｎに対応して立設面１１ｐに形成される。また、接続部１１ｕは、発光素子１１ｇの内部電極１１ｏに対応して立設面１１ｐに形成される。また、接続部１１ｓは、外部電極１１ｃに対応して立設面１１ｐに形成される。また、接続部１１ｖは、外部電極１１ｄに対応して立設面１１ｐに形成される。
【００３１】
本実施形態では、図６の例に示すように、発光部１１ａが有する発光素子１１ｇの内部電極１１ｎと電極パターン１１ｑの接続部１１ｔとが電気的に接続される。また、発光素子１１ｇの内部電極１１ｏと電極パターン１１ｒの接続部１１ｕとが電気的に接続される。
【００３２】
図３に示す外部電極１１ｃ、１１ｄは、ＦＰＣ１３と電極パターン１１ｑ、１１ｒとを導通させる導通部材である。外部電極１１ｃ、１１ｄは、導電性を有する金属である。図３に示すように、外部電極１１ｃは、上述した接続部１１ｓに電気的に接続される。また、外部電極１１ｄは、上述した接続部１１ｖに電気的に接続される。図３に示すように、外部電極１１ｃの実装面１３ａ（図２参照）側の一端の部分１１ｗが、立設面１１ｐから発光面１１ｄｄに向かう方向（矢印４３が示す方向）に延びており、後述するランド部１３ｃに接続される外部電極１１ｃの面積が大きくなっている。また、外部電極１１ｄの実装面１３ａ（図２参照）側の一端の部分１１ｘが、立設面１１ｐから発光面１１ｄｄに向かう方向（矢印４３が示す方向）に延びており、後述するランド部１３ｄに接続される外部電極１１ｄの面積が大きくなっている。このため、外部電極１１ｃとランド部１３ｃ及び外部電極１１ｄとランド部１３ｄとの接続強度が高くなっている。したがって、本実施形態に係る面状照明装置１０によれば、電気的な接続が断たれることによる故障の発生を抑制することができる。
【００３３】
図７に示すように、ＦＰＣ１３の実装面１３ａに、ランド部１３ｃ、１３ｄが形成される。ここで、ランド部１３ｃ、１３ｄは、例えば、ＦＰＣ１３の配線層１３ｅを覆うカバーレイ１３ｆに矩形の孔１３ｇが形成されて、配線層１３ｅが剥き出しになった部分である。配線層１３ｅには、上述した図示しない駆動回路が接続されている。ランド部１３ｃには、ＬＥＤ１１の外部電極１１ｃの部分１１ｗが電気的に接続され、ランド部１３ｄには、ＬＥＤ１１の外部電極１１ｄの部分１１ｘが電気的に接続される。
【００３４】
図８は、実施形態に係るＦＰＣ、及び、ＦＰＣの実装面に実装されたＬＥＤの斜視図である。図８に示すように、ランド部１３ｃと部分１１ｗとが電気的に接続され、ランド部１３ｄと部分１１ｘとが電気的に接続されることにより、ＦＰＣ１３の実装面１３ａにＬＥＤ１１が実装される。本実施形態では、図８に示すように、外部電極１１ｃは、発光部１１ａの側面１１ａｃ側、かつ、発光面１１ｄｄと立設面１１ｐとの間に配置される。また、外部電極１１ｄは、発光部１１ａの側面１１ａｄ側、かつ、発光面１１ｄｄと立設面１１ｐとの間に配置される。ここで、側面１１ａｃ、１１ａｄは、発光面１１ｄｄと連続する面であって、実装面１３ａと交差する方向（矢印４５が示す方向）に延びる面である。また、基体１１ｂの電極パターン１１ｑ、１１ｒは、基体１１ｂの立設面１１ｐのみに形成され、基体１１ｂの立設面１１ｐとは反対側の面１１ａａには形成されていない。このように、本実施形態では、外部電極１１ｃ、１１ｄが発光部１１ａの発光面１１ｄｄとは反対側の面１１ｚ（図２参照）側になく、また、面１１ａａには電極パターン１１ｑ、１１ｒが形成されていない。このため、ＬＥＤ１１の光軸方向（矢印４３が示す方向）における厚さを薄くすることができる。すなわち、図２に示す発光面１１ｄｄから面１１ａａまでのＬＥＤ１１の厚さＴＨ１を薄くすることができる。そして、厚さＴＨ１を薄くすることに伴い、図２に示すＦＰＣ１３の幅及び遮光シート３０の幅を狭くすることができる。したがって、本実施形態に係る面状照明装置１０によれば、サイドビュー型のＬＥＤ１１の厚さＴＨ１、ＦＰＣ１３の幅及び遮光シート３０の幅を面状照明装置１０の額縁の幅とすると、この額縁の幅を狭くすることができる。よって、本実施形態に係る面状照明装置１０によれば、サイドビュー型のＬＥＤ１１を用いる場合であっても、狭額縁化を実現することができる。
【００３５】
図９は、実施形態に係るＦＰＣ、及び、ＦＰＣの実装面に実装されたＬＥＤの側面図である。図９に示すように、本実施形態では、基体１１ｂの立設面１１ｐから、立設面１１ｐとは反対側の面１１ａａまでの厚さＴＨ２は、発光部１１ａの発光面１１ｄｄから、立設面１１ｐと対向する面（発光面１１ｄｄと反対側の面）１１ｚまでの厚さＴＨ３よりも薄い。そのため、発光部１１ａ、基体１１ｂ及び外部電極１１ｃ、１１ｄを含むＬＥＤ１１の重心７０は、発光部１１ａ内に位置することとなる。
【００３６】
更に、図９に示すように、本実施形態では、ＬＥＤ１１の重心７０は、立設面１１ｐと、外部電極１１ｄがＦＰＣ１３に接続されている部分の発光面１１ｄｄ側の端部７１を通り立設面１１ｐと平行な面７２との間に位置するように、設計時に、基体１１ｂの上述した厚さＴＨ２や長手方向の長さなどが設定されている。したがって、本実施形態では、基体１１ｂ及び発光部１１ａを支持する外部電極１１ｄに対して、ＬＥＤ１１全体の自重により、発光面１１ｄｄ側及び立設面１１ｐ側に傾く方向に力が加わらない位置に重心７０が存在する。したがって、本実施形態に係る面状照明装置１０によれば、外部電極１１ｄがランド部１３ｄから剥離してしまうことを抑制することができる。すなわち、外部電極１１ｄとランド部１３ｄとの接合強度の低下を抑制することができる。また、外部電極１１ｄがランド部１３ｄから剥離することが抑制される結果、ＬＥＤ１１の光軸が傾くことなどを抑制することができる。なお、外部電極１１ｄがランド部１３ｄから剥離してしまうことを抑制することについて説明したが、本実施形態に係る面状照明装置１０によれば、同様の原理で、外部電極１１ｃがランド部１３ｃから剥離してしまうことを抑制することができる。
【００３７】
以上、本実施形態に係る面状照明装置１０について説明した。上述したように、本実施形態に係る面状照明装置１０では、外部電極１１ｃが、発光部１１ａの側面１１ａｃ側、かつ、発光面１１ｄｄと立設面１１ｐとの間に配置され、外部電極１１ｄが、発光部１１ａの側面１１ａｄ側、かつ、発光面１１ｄｄと立設面１１ｐとの間に配置される。したがって、上述したように、本実施形態に係る面状照明装置１０によれば、トップビュー型のＬＥＤ１１を用いる場合であっても、薄型化を図ることができる。
【００３８】
（実施形態の変形例）
上述した実施形態では、導電性を有する金属であり導通部材である外部電極１１ｃ、１１ｄがＦＰＣ１３と電極パターン１１ｑ、１１ｒとを導通させる例について説明したが、他の導通部材が、ＦＰＣ１３と電極パターン１１ｑ、１１ｒとを導通させてもよい。そこで、他の導通部材が、ＦＰＣ１３と電極パターン１１ｑ、１１ｒとを導通させる実施形態を、実施形態の変形例として説明する。上述した実施形態と同様の構成については、同一の符号を付して、説明を省略する場合がある。
【００３９】
図１０は、実施形態の変形例に係るＦＰＣ、及び、ＦＰＣの実装面に実装されたＬＥＤの斜視図であり、図１１は、実施形態の変形例に係るＦＰＣ、及び、ＦＰＣの実装面に実装されたＬＥＤの側面図である。図１０及び図１１に示す変形例に係る面状照明装置１０ａは、ＬＥＤ１１が、外部電極１１ｃ、１１ｄに代えてはんだ９５ａ、９５ｂを備える点が、上述した実施形態に係る面状照明装置１０と異なる。
【００４０】
はんだ９５ａは、ＦＰＣ１３と電極パターン１１ｑとを導通させる導通部材であり、はんだ９５ｂは、ＦＰＣ１３と電極パターン１１ｒとを導通させる導通部材である。図１０及び図１１の少なくとも一方の図に示すように、はんだ９５ａは、はんだ接合により、上述した接続部１１ｓに電気的に接続される。また、はんだ９５ｂは、はんだ接合により、上述した接続部１１ｖに電気的に接続される。また、はんだ９５ａは、はんだ接合により、ランド部１３ｃと電気的に接続され、はんだ９５ｂは、はんだ接合により、ランド部１３ｄと電気的に接続される。これにより、ＦＰＣ１３の実装面１３ａにＬＥＤ１１が実装される。はんだ９５ａは、上述した実施形態に係る外部電極１１ｃと同様に、発光部１１ａの側面１１ａｃ側、かつ、発光面１１ｄｄと立設面１１ｐとの間に配置される。はんだ９５ｂは、上述した実施形態に係る外部電極１１ｄと同様に、発光部１１ａの側面１１ａｄ側、かつ、発光面１１ｄｄと立設面１１ｐとの間に配置される。したがって、変形例に係る面状照明装置１０ａによれば、実施形態に係る面状照明装置１０と同様に、トップビュー型のＬＥＤ１１を用いる場合であっても、薄型化を図ることができる。
【００４１】
なお、はんだ９５ａ、９５ｂに代えて、導電性接着剤により、ＦＰＣ１３と電極パターン１１ｑとを導通させ、ＦＰＣ１３と電極パターン１１ｒとを導通させてもよい。
【００４２】
以上、実施形態及び実施形態の変形例について説明したが、上記実施の形態及び上記変形例により本発明が限定されるものではない。上述した各構成要素を適宜組み合わせて構成したものも本発明に含まれる。また、さらなる効果や変形例は、当業者によって容易に導き出すことができる。よって、本発明のより広範な態様は、上記の実施の形態に限定されるものではなく、様々な変更が可能である。
【符号の説明】
【００４３】
１０、１０ａ  面状照明装置
１１  ＬＥＤ（光源）
１１ａ  発光部
１１ｂ  基体
１１ｃ、１１ｄ  外部電極（導通部材）
１２  導光板
１３  ＦＰＣ（基板）
１５  拡散シート
１６  プリズムシート
１７  フレーム
１８  反射シート
３０  遮光シート
９５ａ、９５ｂ  はんだ（導通部材）
【図１】
2018014410.tif 000003
【図２】
2018014410.tif 000004
【図３】
2018014410.tif 000005
【図４】
2018014410.tif 000006
【図５】
2018014410.tif 000007
【図６】
2018014410.tif 000008
【図７】
2018014410.tif 000009
【図８】
2018014410.tif 000010
【図９】
2018014410.tif 000011
【図１０】
2018014410.tif 000012
【図１１】
2018014410.tif 000013
【手続補正書】
【提出日】平成29年4月19日(2017.4.19)
【手続補正１】
【補正対象書類名】特許請求の範囲
【補正対象項目名】全文
【補正方法】変更
【補正の内容】
【特許請求の範囲】
【請求項１】
基板と、光源とを備え、
前記光源は、
前記基板の実装面上に配置され、前記実装面と交差する方向に延びる立設面であって、電極パターンが形成される立設面を有する基体と、
前記実装面上に配置され、前記電極パターンと接続され、前記立設面と対向する面とは反対側に発光面を有する発光部と、
前記発光部の側面側、かつ、前記発光面と前記立設面との間に配置され、前記基板と前記電極パターンとを導通させる導通部材と、
を含む、面状照明装置。
【請求項２】
前記基体の前記立設面から前記立設面とは反対側の面までの厚さは、前記発光部の前記発光面から前記立設面と対向する面までの厚さよりも薄い、請求項１に記載の面状照明装置。
【請求項３】
前記光源の重心は、前記発光部内に位置する、請求項１又は２に記載の面状照明装置。
【請求項４】
前記導通部材は、前記基板及び前記電極パターンに接続されることにより、前記基板と前記電極パターンとを導通させ、
前記光源の重心は、前記立設面と、前記導通部材が前記基板に接続されている部分の前記発光面側の端部を通り前記立設面と平行な面との間に位置する、
請求項３に記載の面状照明装置。
【請求項５】
前記発光面が対向して配置される側面を有し、前記側面に入射された光を出射する導光板を更に備える、請求項１〜４のいずれか１つに記載の面状照明装置。
【請求項６】
基板の実装面上に配置される光源であって、
前記実装面と交差する方向に延びる立設面であって、電極パターンが形成される立設面を有する基体と、
前記実装面上に配置され、前記電極パターンと接続され、前記立設面と対向する面とは反対側に発光面を有する発光部と、
を含む、光源。
【請求項７】
前記発光部の側面側、かつ、前記発光面と前記立設面との間に配置され、前記基板と前記電極パターンとを導通させる導通部材を更に含む、請求項６に記載の光源。
【請求項８】
前記基体の前記立設面から前記立設面とは反対側の面までの厚さは、前記発光部の前記発光面から前記立設面と対向する面までの厚さよりも薄い、請求項６又は７に記載の光源。
【請求項９】
前記光源の重心は、前記発光部内に位置する、請求項６〜８のいずれか１つに記載の光源。
【請求項１０】
前記導通部材は、前記基板及び前記電極パターンに接続されることにより、前記基板と前記電極パターンとを導通させ、
前記光源の重心は、前記立設面と、前記導通部材が前記基板に接続されている部分の前記発光面側の端部を通り前記立設面と平行な面との間に位置する、
請求項７に記載の光源。
【手続補正２】
【補正対象書類名】明細書
【補正対象項目名】０００６
【補正方法】変更
【補正の内容】
【０００６】
上述した課題を解決し、目的を達成するために、本発明の一態様に係る面状照明装置は、基板と、光源とを備え、前記光源は、前記基板の実装面上に配置され、前記実装面と交差する方向に延びる立設面であって、電極パターンが形成される立設面を有する基体と、前記実装面上に配置され、前記電極パターンと接続され、前記立設面と対向する面とは反対側に発光面を有する発光部と、前記発光部の側面側、かつ、前記発光面と前記立設面との間に配置され、前記基板と前記電極パターンとを導通させる導通部材と、を含む。